(57)【要約】【課題】導体のうちワイヤバレル部から突出する前端部の底壁からの跳ね上がり高さを低く抑える。【解決手段】底壁２６から一対のカシメ片２７を立ち上げたオープンバレル状のワイヤバレル部２５を有する端子金具２０と、複数本の金属細線を撚り合わせた導体１１を有する電線１０の前端部との接続構造である。ワイヤバレル部２５では、カシメ片２７が導体１１を包囲しながら圧縮することにより導体１１が導通可能に接続され、導体１１の前端部がワイヤバレル部２５の前端よりも更に前方へ突出している。カシメ片２７のうち導体１１を挟んで底壁２６と反対側の上面壁２８の前端部には、カシメ片２７における後端側の領域に比べて底壁２６に接近した形態の押え部２９を形成した。【選択図】図４
2010118238.tif 000002
【特許請求の範囲】
【請求項１】
底壁の左右両側縁から一対のカシメ片を立ち上げたオープンバレル状のワイヤバレル部を有する端子金具と、複数本の金属細線を撚り合わせた導体を有する電線の前端部との接続構造であって、
前記ワイヤバレル部においては、前記カシメ片が前記導体を包囲しながら圧縮することにより、前記導体が導通可能に接続され、
前記導体の前端部が前記ワイヤバレル部の前端よりも更に前方へ突出されている端子金具と電線の接続構造において、
前記カシメ片のうち前記導体を挟んで前記底壁と反対側に位置する上面壁の前端部には、前記カシメ片における後端側の領域に比べて前記底壁に接近した形態の押え部が形成されていることを特徴とする端子金具と電線の接続構造。
【請求項２】
前記押え部が、前方に向かって前記底壁に接近するように傾斜した形態であることを特徴とする請求項１記載の端子金具と電線の接続構造。
【請求項３】
前記押え部が、前記カシメ片の前記上面壁のうち幅方向における両端部を除いた部分を前記底壁側へ叩き出すことによって凹ませた形態に形成されており、
前記上面壁の前端部における幅方向両端部が、前記底壁とは反対側へ突出した形態の折返部となっていることを特徴とする請求項１又は請求項２記載の端子金具と電線の接続構造。
【発明の詳細な説明】
【技術分野】
【０００１】
本発明は、端子金具と電線の接続構造に関するものである。
【背景技術】
【０００２】
特許文献１には、底壁の左右両側縁から一対のカシメ片を立ち上げたオープンバレル状のワイヤバレル部を有する端子金具と、複数本の金属細線を撚り合わせた導体を有する電線の前端部とを接続する構造が開示されている。ワイヤバレル部においては、カシメ片が導体を包囲しながら圧縮することにより、電線が導通可能に接続されている。また、接続済みの状態では、導体の前端部がワイヤバレル部の前端よりも更に前方へ突出されている。
【特許文献１】特開２００５−２２２８１５号公報
【発明の開示】
【発明が解決しようとする課題】
【０００３】
上記の端子金具において、導体をアルミニウム製とした場合、その酸化被膜を除去するためにワイヤバレル部に対する締付けを強くしなければならないが、締付けを強くすると、ワイヤバレル部の前方では導体を構成する金属細線の撚りがばらけ、そのばらけた金属細線の前端部が拡がるように変形することになる。拡がった金属細線の一部は底壁とは反対側へ跳ね上がるのであるが、この跳ね上がった金属細線は、他の部材と干渉する虞がある。
【０００４】
本発明は上記のような事情に基づいて完成されたものであって、導体のうちワイヤバレル部から突出する前端部の跳ね上がり高さを低く抑えることを目的とする。
【課題を解決するための手段】
【０００５】
上記の目的を達成するための手段として、請求項１の発明は、底壁の左右両側縁から一対のカシメ片を立ち上げたオープンバレル状のワイヤバレル部を有する端子金具と、複数本の金属細線を撚り合わせた導体を有する電線の前端部との接続構造であって、前記ワイヤバレル部においては、前記カシメ片が前記導体を包囲しながら圧縮することにより、前記導体が導通可能に接続され、前記導体の前端部が前記ワイヤバレル部の前端よりも更に前方へ突出されている端子金具と電線の接続構造において、前記カシメ片のうち前記導体を挟んで前記底壁と反対側に位置する上面壁の前端部には、前記カシメ片における後端側の領域に比べて前記底壁に接近した形態の押え部が形成されているところに特徴を有する。
【０００６】
請求項２の発明は、請求項１に記載のものにおいて、前記押え部が、前方に向かって前記底壁に接近するように傾斜した形態であるところに特徴を有する。
【０００７】
請求項３の発明は、請求項１または請求項２に記載のものにおいて、前記押え部が、前記カシメ片の前記上面壁のうち幅方向における両端部を除いた部分を前記底壁側へ叩き出すことによって凹ませた形態に形成されており、前記上面壁の前端部における幅方向両端部が、前記底壁とは反対側へ突出した形態の折返部となっているところに特徴を有する。
【発明の効果】
【０００８】
＜請求項１の発明＞
カシメ片の上面壁の前端部においては、導体が押え部により底壁側へ変位させられるので、導体のうちワイヤバレル部の前端から突出する前端部は、底壁からの高さが低く抑えられる。したがって、導体が底壁と反対側へ跳ね上がっても、その跳ね上がり部分の高さが低く抑えられる。
【０００９】
＜請求項２の発明＞
押え部が、前方に向かって底壁に接近するように傾斜しているので、導体の前端部もワイヤバレル部の前端から底壁に向かうように斜めに突出する。これにより、導体の前端部の跳ね上がり高さを、より効果的に抑えることができる。
【００１０】
＜請求項３の発明＞
押え部を形成する際に、カシメ片の上面壁の前端部を全幅に亘って底壁側へ接近させるように変形させると、上面壁が底壁に接近した分だけ、上面壁と底壁とを繋ぐ側面壁が幅方向外側へ変位し、ワイヤバレル部が幅広になってしまう。これに対し、本発明では、上面壁の幅方向両端部に折返部を形成し、その折返部の間の部分のみ底壁に接近させて押え部としているので、上面壁と底壁とを繋ぐ側面壁を幅方向外側へ変位させずに済み、ワイヤバレル部が幅広になるのを回避できる。
【発明を実施するための最良の形態】
【００１１】
＜実施形態１＞
以下、本発明を具体化した実施形態１を図１乃至図４を参照して説明する。図に示す導電路１は、電線１０の前端部（図１及び図２における左側の端部）を、端子金具２０の後端部に形成した圧着部２２に接続して構成されている。
【００１２】
電線１０は、複数本の金属細線を撚り合わせた撚り線からなる導体１１と、導体１１を包囲する絶縁被覆１２とから構成されている。電線１０の前端部においては、端子金具２０との接続準備として、予め、絶縁被覆１２が除去されることにより導体１１の前端部が露出した状態となっている。導体１１の材料としては、銅や、銅よりも剛性が高い材料（例えば、アルミニウム）や、銅よりも導電率の低い材料（例えば、アルミニウム）が用いられている。
【００１３】
端子金具２０は、所定形状に打ち抜いた金属板材に曲げ加工等を施すことによって形成された雌形のものであり、前端側領域は角筒状をなす端子接続部２１となっており、後端側領域はオープンバレル状の圧着部２２となっている。端子接続部２１は、雄形の相手端子に形成されている細長いタブ（図示せず）との接続手段として機能する周知形態のものである。
【００１４】
端子接続部２１の後端と圧着部２２の前端は、連結部２３を介して連なっている。連結部２３は、下面板と下面板の左右両側縁から上方へほぼ直角に立ち上がる左右対称な一対の側面板とから構成され、連結部２３の内部には、上方へ開放された収容空間２４が形成されている。
【００１５】
圧着部２２は、連結部２３の後端に連なるワイヤバレル部２５と、ワイヤバレル部２５よりも後方に位置するインシュレーションバレル部３１とを備えて構成されている。インシュレーションバレル部３１には、電線１０の前端部のうち導体１１を包囲する絶縁被覆１２が残っている部分が、圧着により接続されている。圧着の際には、アプリケータと称される自動機（図示せず）が用いられ、ワイヤバレル部２５における導体１１の圧着と同時に、インシュレーションバレル部３１において電線１０が圧着される。圧着された状態では、電線１０がインシュレーションバレル部３１により全周に亘って包囲されて加圧された状態となり、この加圧により生じた固着力により、電線１０がインシュレーションバレル部３１に固着される。
【００１６】
ワイヤバレル部２５は、連結部２３の下面板に連なる底壁２６と、底壁２６の左右両側縁から延出する左右対称な一対のカシメ片２７とから構成される。このワイヤバレル部２５には、電線１０の前端部において絶縁被覆１２が除去されて剥き出しになった導体１１が、圧着により電気的導通可能に固着されている。圧着に際しては、自動機のアンビル（図示せず）に圧着部２２をセットし、導体１１を底壁２６に載置するようにセットし状態で、クリンパ（図示せず）が下降して一対のカシメ片２７を導体１１に巻き付かせるように変形させる。これにより、底壁２６と一対のカシメ片２７が、導体１１に対して加圧した状態で包囲するように圧着される。
【００１７】
圧着状態では、導体１１の前端部はカシメ片２７（ワイヤバレル部２５）の前端縁よりも更に前方へ突出するように位置し、連結部２３の下面板及び両側面板で囲まれた収容空間２４内に収容されている。導体１１がアルミ製である場合には、その金属細線の表面の酸化被膜を擦り落とすために、圧着時にはワイヤバレル部２５に対する締付けを強くする。この場合、ワイヤバレル部２５の前方の収容空間２４内では、導体１１を構成する金属細線の撚りがばらけ、そのばらけた金属細線の前端部が拡がるように変形することになる。このとき、収容空間２４は上方（底壁２６とは反対の方向）へ開放されているので、金属細線の一部がワイヤバレル部２５よりも上方へ跳ね上がることが懸念される。収容空間２４の上方が、他部材（例えば、端子金具２０を図示しないハウジング内に挿入したときに、端子接続部２１の後端縁に係止して端子金具２０を抜止めするリテーナ）を配置するためのスペースとなっている場合には、上方へ跳ね上がった金属細線と他部材とが干渉する虞がある。
【００１８】
そこで、本実施形態では、導体１１（金属細線）の前端部が底壁２６とは反対の上方へ跳ね上がるのを防止する手段として、ワイヤバレル部２５には押え部２９が形成されている。この押え部２９は、カシメ片２７のうち圧着済みの状態において導体１１を挟んで底壁２６と反対画に位置する上面壁２８に形成されている。また、押え部２９は、導体１１をワイヤバレル部２５に圧着した後の工程で、叩き出し加工により形成される。
【００１９】
圧着済みの状態では、左右一対のカシメ片２７は左右対称であり、各カシメ片２７に、夫々、個別に押え部２９が１つずつ形成されている。そして、この左右一対の押え部２９は左右対称である。この押え部２９は、前後方向（電線１０の軸線方向）においてカシメ片２７のほぼ中央位置からカシメ片２７の前端に亘って形成されており、前方に向かって下り勾配となるように底壁２６に対して傾斜している。この傾斜角度は、押え部２９の全長に亘ってほぼ一定である。カシメ片２７の上面壁２８のうち押え部２９よりも後方の領域は、底壁２６に対してほぼ平行をなしている。押え部２９は、カシメ片２７の幅方向（左右方向）における略中央部分のみに形成されている。
【００２０】
カシメ片２７の上面壁２８のうち左右両端縁部は、押え部２９を左右から挟むように位置する一対の折返部３０となっている。折返部３０は、折り目が上を向いて、上方へ突出した形態である。この折返部３０の上端縁の高さはほぼ一定である。また、折返部３０は幅方向において並ぶように４カ所に分かれて配置されているが、この４つの折返部３０のうち内側に位置する２つの折返部３０同士（つまり、両カシメ片２７の立ち上がり端縁部同士）は、互いに幅方向に押圧するように当接している。
【００２１】
本実施形態によれば、カシメ片２７のうち導体１１を挟んで底壁２６と反対側に位置する上面壁２８の前端部に、カシメ片２７における後端側の領域に比べて底壁２６に接近した形態の押え部２９を形成している。これにより、カシメ片２７の上面壁２８の前端部においては、導体１１が押え部２９により底壁２６側へ変位させられるので、導体１１のうちワイヤバレル部２５の前端から突出している前端部は、底壁２６からの高さが低く抑えられる。したがって、導体１１の前端部が底壁２６と反対側へ跳ね上がっても、その跳ね上がり部分の高さが低く抑えられる。
【００２２】
また、押え部２９が、前方に向かって底壁２６に接近するように傾斜しているので、導体１１の前端部もワイヤバレル部２５の前端から底壁２６に向かうように斜め下前方へ突出する。これにより、導体１１の前端部の跳ね上がり高さを、より効果的に抑えることができる。
【００２３】
また、押え部２９が、カシメ片２７の上面壁２８のうち幅方向における両端部を除いた部分を底壁２６側へ叩き出すことによって凹ませた形態に形成されており、上面壁２８の前端部における幅方向両端部が、底壁２６とは反対側へ突出した形態の折返部３０となっている。この構成の技術的意義は、次の通りである。押え部２９を形成する際に、カシメ片２７の上面壁２８の前端部を全幅に亘って底壁２６側へ接近させるように変形させると、上面壁２８が底壁２６に接近した分だけ、上面壁２８と底壁２６とを繋ぐ側面壁が幅方向外側へ変位し、ワイヤバレル部２５が幅広になってしまう虞がある。これに対し、本実施形態では、上面壁２８の幅方向両端部に折返部３０を形成し、その折返部３０の間の部分のみ底壁２６に接近させて押え部２９としているので、上面壁２８と底壁２６とを繋ぐ側面壁を幅方向外側へ変位させずに済み、ワイヤバレル部２５が幅広になるのを回避できる。
【００２４】
＜他の実施形態＞
本発明は上記記述及び図面によって説明した実施形態に限定されるものではなく、例えば次のような実施態様も本発明の技術的範囲に含まれる。
【００２５】
（１）上記実施形態の押え部は、平面状に傾斜した形態であったが、押え部は、曲面状であってもよい。
（２）上記実施形態の押え部は、前方に向かって底壁に接近するように傾斜した形態であるが、押え部は、段差状に底壁に接近する形態であってもよい。
（３）上記実施形態の押え部は、カシメ片の上面部を幅方向において局部的に凹ませた形態であるが、押え部は、カシメ片の上面部の全幅に亘って底壁に接近させた形態であってもよい。
【００２６】
（４）上記実施形態では、ワイヤバレル部に導体を圧着した後に、押え部を形成したが、導体を圧着する前に押え部を形成しておいてもよく、圧着工程と同時に押え部を形成してもよい。
【図面の簡単な説明】
【００２７】
【図１】実施形態１の側面図
【図２】平面図
【図３】電線の導体を省略した図１のＸ−Ｘ線断面図
【図４】押え部が導体を斜め下前方へ押さえ込んでいる状態をあらわす部分拡大断面図
【符号の説明】
【００２８】
１０…電線
１１…導体
２０…端子金具
２５…ワイヤバレル部
２６…底壁
２７…カシメ片
２９…押え部
３０…折返部
【図１】
2010118238.tif 000003
【図２】
2010118238.tif 000004
【図３】
2010118238.tif 000005
【図４】
2010118238.tif 000006